(57)【要約】【課題】  電気光学装置の面積の増大を抑えつつ、封止性能および接着強度を確保することが可能な電気光学装置およびこれを用いた画像印刷装置を提供する。【解決手段】  電気光学装置１０は、基板１２と、基板１２上に形成された発光素子１４と、発光素子１４が形成された基板１２の面を部分的に覆う封止体１６を備える。封止体１６は、基板１２に接合され、基板１２と協働して発光素子１４を封止する。封止体１６には、縁部から曲折する曲折壁部２２が形成されており、基板１２には封止体１６の曲折壁部２２を受け入れる溝３７が形成されている。溝３７内に配置された接着剤３８により基板１２および封止体１６の曲折壁部２２が接着されている。【選択図】  図２
2006202650.tif 000002
【特許請求の範囲】
【請求項１】
基板と、
前記基板上に形成された発光素子と、
前記発光素子が形成された前記基板の面を部分的に覆い、前記基板に接合され、前記基
板と協働して前記発光素子を封止する封止体とを備え、
前記封止体には、その少なくとも一部から曲折する曲折壁部が形成されており、
前記基板には前記封止体の前記曲折壁部を受け入れる溝が形成されており、
前記溝内に配置された接着剤により前記基板および前記封止体の前記曲折壁部が接着さ
れていることを特徴とする電気光学装置。
【請求項２】
前記発光素子を駆動するための配線が、前記封止体と前記基板で囲まれた領域から、前
記溝の内面と前記封止体の曲折壁部の間を通過し、前記封止体の外側に延びていることを
特徴とする請求項１に記載の電気光学装置。
【請求項３】
前記封止体には、その二箇所から前記曲折壁部と同じ方向に曲折し前記曲折壁部よりも
長い一対の第２の曲折壁部が形成されており、
前記基板が前記第２の曲折壁部の間に挟まれていて、前記基板の端面と前記第２の曲折
壁部の間に配置された接着剤により前記基板および前記封止体の前記第２の曲折壁部が接
着されていることを特徴とする請求項１または請求項２に記載の電気光学装置。
【請求項４】
前記基板には、前記発光素子と反対側にスペーサ板が重ねられており、
前記スペーサ板が前記第２の曲折壁部の間に挟まれていて、前記スペーサ板の端面と前
記第２の曲折壁部の間に配置された接着剤により前記スペーサ板および前記封止体の前記
第２の曲折壁部が接着されていることを特徴とする請求項４に記載の電気光学装置。
【請求項５】
基板と、
前記基板上に形成された発光素子と、
前記発光素子が形成された前記基板の面を部分的に覆い、前記基板に接合され、前記基
板と協働して前記発光素子を封止する封止体とを備え、
前記封止体には、その二箇所から互いに同じ方向に曲折する曲折壁部が形成されており
、
前記基板が前記曲折壁部の間に挟まれていて、前記基板の端面と前記曲折壁部の間に配
置された接着剤により前記基板および前記封止体の前記曲折壁部が接着されていることを
特徴とする電気光学装置。
【請求項６】
前記基板には、前記発光素子と反対側にスペーサ板が重ねられており、
前記スペーサ板が前記曲折壁部の間に挟まれていて、前記スペーサ板の端面と前記曲折
壁部の間に配置された接着剤により前記スペーサ板および前記封止体の前記曲折壁部が接
着されていることを特徴とする請求項５に記載の電気光学装置。
【請求項７】
像担持体と、
前記像担持体を帯電する帯電器と、
複数の前記発光素子が配列され、前記像担持体の帯電された面に複数の前記発光素子に
より光を照射して潜像を形成する請求項１から請求項６のいずれか１項に記載の電気光学
装置と、
前記潜像にトナーを付着させることにより前記像担持体に顕像を形成する現像器と、
前記像担持体から前記顕像を他の物体に転写する転写器とを備える画像印刷装置。
【発明の詳細な説明】
【技術分野】
【０００１】
本発明は、発光素子とこれを保護する封止体を備えた電気光学装置およびこの電気光学
装置を備えた画像印刷装置に関する。
【背景技術】
【０００２】
近年、液晶素子に代わる次世代の発光デバイスとして、有機エレクトロルミネッセンス
（有機ＥＬ）素子や発光ポリマー素子などと呼ばれる有機発光ダイオード（Organic  Lig
ht  Emitting  Diode、以下適宜「ＯＬＥＤ」と略称する）素子が注目されている。ＯＬ
ＥＤ素子は、例えば特許文献１および特許文献２に開示されているように、表示装置に使
われる。
【０００３】
また、多数のＯＬＥＤ素子を配列したラインヘッドを露光手段すなわち潜像書き込み器
として用いる電子写真方式の画像印刷装置が開発されている。
【０００４】
ＯＬＥＤ素子は外気にさらされた環境では水分または酸素の影響を受けて経年劣化する
ため、封止体により外気、特に水分および酸素から隔離してその劣化を抑制することが一
般的に行われている。ＯＬＥＤの分野で使用される封止の種類には、素子が設けられた基
板に封止体の一面全体を接合する膜封止と、封止体の周縁部を接着剤により基板に接合し
てＯＬＥＤ素子の周囲に封止体と基板とで画定される空間を設けるキャップ封止がある。
通常、キャップ封止ではこの空間内に乾燥剤が配置される。
【０００５】
特許文献１および特許文献２に記載の技術では、キャップ封止が使用されている。例え
ば、特許文献１の図２および図８ならびに特許文献２に記載された技術では、封止体の周
縁部に形成された曲折壁部の底面が基板の表面に接着されている。また、特許文献１の図
３から図６に記載された技術では、曲折壁部のない平板状の封止体の周縁部が基板の表面
に接着されている。
【０００６】
【特許文献１】特開２０００−１７３７６６号公報
【特許文献２】特開２００１−１８５３４９号公報
【発明の開示】
【発明が解決しようとする課題】
【０００７】
ＯＬＥＤ素子のような発光素子を備えた電気光学装置には小型化の要求が高い。例えば
、この種の電気光学装置を潜像書き込みのためのラインヘッドとして利用する電子写真方
式の画像印刷装置では、帯電器と現像器の間の限られたスペースで像担持体に潜像を書き
込む必要がある。このため、ラインヘッドが大きい場合には、像担持体から離れた位置に
ラインヘッドを配置するか、像担持体のサイズを大きくしなければならず、画像印刷装置
全体も大型化してしまう。電気光学装置を小型化することにより、画像印刷装置全体の小
型化に寄与する可能性がある。
【０００８】
しかし、従来の電気光学装置では、封止体の周縁部または周縁部に形成された曲折壁部
の底面が基板の表面に接着されているため、封止性能を確保するために接着面積を大きく
すると、電気光学装置の面積が増大する。つまり接着面積を確保すると、その接着面には
、発光素子はもちろん発光素子を駆動するための回路を設けることもできない。接着剤の
層には封止性能を高めるために圧力がかけられ、仮に回路を設けると、回路を構成する配
線の立体交差部が圧縮されて短絡を引き起こすからである。従って、その接着面積の分、
発光素子が設けられた基板の面積の増大につながる。
【０００９】
また、封止体の周縁部または周縁部に形成された曲折壁部の底面が基板の表面に接着さ
れている従来の構造では、封止体を基板から剥離しようとする力が与えられた場合には、
接着剤の引っ張り強度および剥離強度に起因する抵抗が生ずるが、これでは耐用強度が弱
い。
【００１０】
そこで、本発明は、電気光学装置の面積の増大を抑えつつ、封止性能および接着強度を
確保することが可能な電気光学装置およびこれを用いた画像印刷装置を提供する。
【課題を解決するための手段】
【００１１】
本発明に係る電気光学装置は、基板と、前記基板上に形成された発光素子と、前記発光
素子が形成された前記基板の面を部分的に覆い、前記基板に接合され、前記基板と協働し
て前記発光素子を封止する封止体とを備え、前記封止体には、その少なくとも一部から曲
折する曲折壁部が形成されており、前記基板には前記封止体の前記曲折壁部を受け入れる
溝が形成されており、前記溝内に配置された接着剤により前記基板および前記封止体の前
記曲折壁部が接着されていることを特徴とする。
【００１２】
本発明の構成によれば、基板に形成された溝内に封止体の曲折壁部が受け入れられるの
で、溝の深さの分、基板と封止体の接着面積を確保することが可能である。つまり、曲折
壁部の底面を大きくしなくても、接着面積を確保することが可能であるので、電気光学装
置の面積の増大を抑えつつ、封止性能を確保することが可能である。また、溝の底面と曲
折壁部の底面だけでなく溝の側面と曲折壁部の側面も接着される。本発明の構成では、封
止体を基板から剥離しようとする力が与えられた場合、溝の底面と曲折壁部の底面の間の
接着剤の引っ張り強度および剥離強度、ならびに溝の側面と曲折壁部の側面の間の接着剤
の剪断強度に起因する抵抗が生ずる。従って、接着剤の引っ張り強度および剥離強度によ
る抵抗だけで強度を得ている従来技術に比べて、本発明では接着強度を確保することが容
易である。
【００１３】
ここで、「発光素子」とは、与えられた電気的なエネルギを光学的エネルギに変換する
素子であり、典型的には有機ＥＬ素子であるが、封止する必要があるのであれば無機ＥＬ
素子でもよい。
本発明に係る溝と曲折壁部の嵌め合わせ構造は、多数の箇所または封止体の周囲全体に
設けてもよいが、封止体の少なくとも一部に設けることにより、上記の効果が達成できる
。つまり封止体には少なくとも一部に曲折壁部が形成されていればよい。
【００１４】
さらに上記の構成において、前記発光素子を駆動するための配線が、前記封止体と前記
基板で囲まれた領域から、前記溝の内面と前記封止体の曲折壁部の間を通過し、前記封止
体の外側に延びていると好ましい。これによれば、発光素子を駆動するための配線を容易
に配設することが可能である。
【００１５】
この構成で、前記封止体には、その二箇所から前記曲折壁部と同じ方向に曲折し前記曲
折壁部よりも長い一対の第２の曲折壁部が形成されており、前記基板が前記第２の曲折壁
部の間に挟まれていて、前記基板の端面と前記第２の曲折壁部の間に配置された接着剤に
より前記基板および前記封止体の前記第２の曲折壁部が接着されていてもよい。これによ
れば、基板の端面と第２の曲折壁部の側面との間に接着剤が設けられ、基板と封止体の接
着面積を確保することが可能である。つまり、曲折壁部の底面を大きくしなくても、接着
面積を確保することが可能であるので、電気光学装置の面積の増大を抑えつつ、封止性能
を確保することが可能である。
【００１６】
第２の曲折壁部を設けた形態では、前記基板には、前記発光素子と反対側にスペーサ板
が重ねられており、前記スペーサ板が前記第２の曲折壁部の間に挟まれていて、前記スペ
ーサ板の端面と前記第２の曲折壁部の間に配置された接着剤により前記スペーサ板および
前記封止体の前記第２の曲折壁部が接着されているようにしてもよい。発光素子が設けら
れた基板の厚さが大きくない場合には、スペーサ板が第２の曲折壁部に接着されることに
より、接着面積が増加し、封止性能を確保することが可能である。
【００１７】
別の形態として、本発明に係る電気光学装置は、基板と、前記基板上に形成された発光
素子と、前記発光素子が形成された前記基板の面を部分的に覆い、前記基板に接合され、
前記基板と協働して前記発光素子を封止する封止体とを備え、前記封止体には、その二箇
所から互いに同じ方向に曲折する曲折壁部が形成されており、前記基板が前記曲折壁部の
間に挟まれていて、前記基板の端面と前記曲折壁部の間に配置された接着剤により前記基
板および前記封止体の前記曲折壁部が接着されていてもよい。
この構成によれば、基板の端面と曲折壁部の側面との間に接着剤が設けられ、基板と封
止体の接着面積を確保することが可能である。つまり、曲折壁部の底面を大きくしなくて
も、接着面積を確保することが可能であるので、電気光学装置の面積の増大を抑えつつ、
封止性能を確保することが可能である。また、この構成では、封止体を基板から剥離しよ
うとする力が与えられた場合、基板の端面および曲折壁部の側面の間の接着剤の剪断強度
に起因する抵抗が生ずる。一般に接着剤の剪断強度は高いので、接着剤の引っ張り強度お
よび剥離強度による抵抗だけで強度を得ている従来技術に比べて、本発明では接着強度を
確保することが容易である。
【００１８】
この形態では、前記基板には、前記発光素子と反対側にスペーサ板が重ねられており、
前記スペーサ板が前記曲折壁部の間に挟まれていて、前記スペーサ板の端面と前記曲折壁
部の間に配置された接着剤により前記スペーサ板および前記封止体の前記曲折壁部が接着
されていることが好ましい。発光素子が設けられた基板の厚さが大きくない場合には、ス
ペーサ板が曲折壁部に接着されることにより、接着面積が増加し、封止性能を確保するこ
とが可能である。
【００１９】
本発明に係る画像印刷装置は、像担持体と、前記像担持体を帯電する帯電器と、複数の
前記発光素子が配列され、前記像担持体の帯電された面に複数の前記発光素子により光を
照射して潜像を形成する前記のいずれかの電気光学装置と、前記潜像にトナーを付着させ
ることにより前記像担持体に顕像を形成する現像器と、前記像担持体から前記顕像を他の
物体に転写する転写器とを備える。上記のように本発明に係る電気光学装置は小型化する
ことができるので、電気光学装置を像担持体に近い位置に配置するか、像担持体のサイズ
を小さくすることが可能であり、画像印刷装置も小型化することが可能である。
【発明を実施するための最良の形態】
【００２０】
以下、添付の図面を参照しながら本発明に係る様々な実施の形態を説明する。なお、図
面においては、各部の寸法の比率は実際のものとは適宜に異ならせてある。
【００２１】
＜第１の実施の形態＞
図１は、本発明の第１の実施の形態に係る電気光学装置を示す概略平面図であり、図２
は図１のＡ−Ａ線矢視断面図であり、図３は図１のＢ−Ｂ線矢視断面図である。但し、図
１では後述する様々な配線の図示を省略する。
【００２２】
図に例示された電気光学装置１０は、電子写真方式を利用した画像印刷装置における像
担持体（例えば感光体ドラム）に静電潜像を書き込むためのライン型の光ヘッドとして用
いられる。電気光学装置１０は、複数の発光素子１４が同一平面上に配列された基板１２
を備える。
【００２３】
この実施の形態で、発光素子１４は有機ＥＬ素子であり、各発光素子１４は印加された
電圧に応じて発光する。発光素子１４は、図１に示すように、二列かつ千鳥状のパターン
で配列されている。発光素子１４の配列パターンは図示の形態に限定されず、単列または
三列以上でもよいし他の適切なパターンで配列されていてもよい。基板１２の長手方向（
図１の横方向）が光ヘッドの主走査方向、図１の縦方向が副操作方向である。
【００２４】
発光素子１４が設けられた基板１２は、ガラスまたは透明なプラスチックにより形成さ
れており、長尺の矩形の形状を有する。図示の形態では、各発光素子１４から発せられた
光が、基板１８の側に図２および図３の下方に放出させられる。すなわち、この電気光学
装置１０はボトムエミッションタイプのＯＬＥＤ発光パネルである。
【００２５】
図２および図３に示すように、基板１２の表面上には、発光体アセンブリ３０が形成さ
れている。図２に示すように、発光体アセンブリ３０は、発光体・駆動体層３４と、発光
体・駆動体層３４の上部に配置された低電位電源線３２と、発光体・駆動体層３４の下部
に配置された高電位電源線３６とを備える。
【００２６】
発光体・駆動体層３４の内部の幾何学的構成の詳細な図示は省略するが、後述するよう
に、発光体・駆動体層３４には、発光素子１４をそれぞれ含む複数の画素回路、これらの
画素回路への給電を制御する駆動回路が設けられている。画素回路の各々は、発光素子１
４とこれを駆動するＴＦＴ（薄膜トランジスタ）素子を有する。
【００２７】
図４は、発光体アセンブリ３０の駆動系統を示すブロック図である。図４に示すように
、上述した発光体・駆動体層３４は、複数本、例えば１２８本のデータ線Ｌ０〜Ｌ１２７
および駆動回路２８０を備える。発光体・駆動体層３４にはデータ信号Ｄ０〜Ｄ１２７の
他、各種の制御信号ＣＴＬ、第１電源電位ＶＩＣおよびグランド電位ＧＮＤが供給される
。データ信号Ｄ０〜Ｄ１２７は図示しないデータ制御回路からデータ線Ｌ０〜Ｌ１２７に
与えられる。第１電源電位ＶＩＣは駆動回路２８０に対する高電位電源線２７Ａから駆動
回路２８０に与えられ、グランド電位ＧＮＤは駆動回路２８０に対する低電位電源線２７
Ｂから駆動回路２８０に与えられる。制御信号ＣＴＬは、他の制御回路から信号線２９を
介して駆動回路２８０に与えられる。
【００２８】
図４に示された画素ブロックＢ１〜Ｂ４０の各々は、一つの単位時間に駆動される複数
個、例えば１２８個の画素回路Ｐの集合である。駆動回路２８０には制御信号ＣＴＬとし
てクロック信号が供給され、駆動回路２８０はクロック信号に従って、選択信号ＳＥＬ１
〜ＳＥＬ４０を順次出力する。選択信号ＳＥＬ１〜ＳＥＬ４０は、それぞれ画素ブロック
Ｂ１〜Ｂ４０に入力され、対応する画素ブロック内の１２８個の画素回路Ｐに供給される
。各選択信号ＳＥＬ１〜ＳＥＬ４０は、潜像書き込みの主走査期間の１／４０の期間（選
択期間）アクティブとなる。
【００２９】
選択信号ＳＥＬ１〜ＳＥＬ４０によって第１〜第４０画素ブロックＢ１〜Ｂ４０が排他
的に順次選択される。このように主走査期間を複数の選択期間（書込期間）に分割して、
画素ブロックＢ１〜Ｂ４０を時分割駆動するので５１２０個（１２８×４０）の画素回路
Ｐのそれぞれに専用のデータ線を設ける必要がなく、データ線の本数を削減することがで
きる。すなわち１２８本のデータ線Ｌ０〜Ｌ１２７で５１２０個の画素回路Ｐを制御する
ことができる。第１〜第４画素ブロックＢ１〜Ｂ４０の各々は、データ線Ｌ０〜Ｌ１２７
にそれぞれ対応する１２８個の画素回路Ｐを備える。これらの画素回路Ｐには第２電源電
位ＶＥＬとグランド電位ＧＮＤが供給される。第２電源電位ＶＥＬは複数の発光素子１４
に共通の高電位電源線３６から与えられ、グランド電位ＧＮＤは複数の発光素子１４に共
通の低電位電源線３２から与えられる。そして、各選択期間においてデータ線Ｌ０〜Ｌ１
２７を介して供給されるデータ信号Ｄ０〜Ｄ１２７が画素回路Ｐに取り込まれる。なお、
この例のデータ信号Ｄ０〜Ｄ１２７は発光素子の点灯・消灯を指示する２値の信号である
。
【００３０】
図５は各画素回路Ｐの回路図である。各画素回路Ｐは、保持トランジスタ２８１、駆動
トランジスタ２８２およびＯＬＥＤ素子１４を備える。保持トランジスタ２８１のゲート
には駆動回路２８０から選択信号ＳＥＬ１〜ＳＥＬ４０のいずれかが供給され、そのソー
スはデータ線Ｌ０〜Ｌ１２７のいずれかと接続されることによりデータ信号Ｄ０〜Ｄ１２
７のいずれかがソースに供給される。保持トランジスタ２８１のドレインと駆動トランジ
スタ２８２のゲートは接続線によって接続されている。接続線には浮遊容量が付随してお
り、この容量が保持容量として作用する。保持容量には選択期間において２値の電圧が書
き込まれ、次の選択期間まで書き込まれた電圧が保持される。従って、保持トランジスタ
を選択信号ＳＥＬ１〜ＳＥＬ４０により選択した期間においてデータ信号Ｄ０〜Ｄ１２７
が発光素子１４の点灯を指示する信号である期間のみ発光素子１４が発光することになる
。
【００３１】
駆動トランジスタ２８２のドレインには、高電位電源線３６から第２電源電位ＶＥＬが
供給される。駆動トランジスタ２８２のソースは、発光素子１４の陽極と接続される。駆
動トランジスタ２８２は、保持容量に書き込まれた電圧（２値）に応じた駆動電流を発光
素子１４に供給する。発光素子１４の陰極には、低電位電源線３２からグランド電位ＧＮ
Ｄが供給される。発光素子１４は駆動電流の大きさに応じた量の光を発光する。
【００３２】
図２に示す低電位電源線３２は、複数の発光素子１４に対して共通の陰極と接続されて
おり、陰極と同一の材料から同工程で形成される。発光体アセンブリ３０内の発光素子１
４から発せられた光を下方に放出するために、発光素子１４の陰極ひいては低電位電源線
３２は例えばアルミニウムのような光を反射する導電材料で形成されている。
【００３３】
また、図２に示す高電位電源線３６も、複数の発光素子１４に対して共通である。すな
わち、複数の発光素子１４の各々の陽極は、その発光素子１４に対応する駆動トランジス
タ２８２のソースに接続され、これらの駆動トランジスタ２８２のドレインは高電位電源
線３６に接続されている。高電位電源線３６は、発光素子１４の陽極と同一の材料から同
工程で形成される。発光体アセンブリ３０内の発光素子１４から発せられた光を下方に放
出するために、高電位電源線３６は例えば透明なＩＴＯ（Indium  Tin  Oxide）で形成さ
れている。
【００３４】
発光素子１４を外気から隔離するために、基板１２には、基板１２と協働して発光素子
１４を封止するキャップ封止体１６が接合されている。封止体１６は、発光素子１４が設
けられた発光体・駆動体層３４が形成された基板１２の面を部分的に覆い、発光体・駆動
体層３４の周囲に封止体１６と基板１２とで画定される空間を設けている。この空間内に
は、図示しない乾燥剤が配置されるが、乾燥剤を設けることは必須ではない。
【００３５】
封止体１６は概略的には長尺の矩形の形状を有するが、その周縁部には周縁部から曲折
する曲折壁部２０，２２が形成されている。曲折壁部２０は封止体１６の二つの短辺に形
成されており、曲折壁部２２は封止体１６の二つの長辺に形成されている。図２および図
３を参照すると明らかなように、曲折壁部２０，２２は同じ方向に延びているが、曲折壁
部２２は曲折壁部２０よりも長く延びており、その幅は曲折壁部２０の幅Ｌｅ３よりも小
さい。
【００３６】
図２に示すように、基板１２には、封止体１６の曲折壁部２２を受け入れる溝３７が形
成されている。この溝３７は、深さＬｅ１および幅Ｌｅ２を有する。一方の溝３７の内壁
面には、発光素子１４を駆動するための低電位電源線３２が形成されている。従って、低
電位電源線３２は、封止体１６と基板１２で囲まれた領域から、溝３７の内壁面と封止体
１６の曲折壁部２２の間を通過し、封止体１６の外側に延びている。また、他方の溝３７
の内壁面には、発光素子１４を駆動するための高電位電源線３６が形成されている。従っ
て、高電位電源線３６も、封止体１６と基板１２で囲まれた領域から、基板１２の溝３７
の内壁面と封止体１６の曲折壁部２２の間を通過し、封止体１６の外側に延びている。封
止体１６の外側の領域で、電源線３２，３６は図示しない電力供給装置に接続されている
。
【００３７】
また、図３に示すように、発光体アセンブリ３０の一部である配線４０が、封止体１６
と基板１２で囲まれた領域から、封止体１６の短辺の底面と基板１２の間を通過し、封止
体１６の外側に延びている。配線４０は、上述した高電位電源線２７Ａ、低電位電源線２
７Ｂ、信号線２９およびデータ線Ｌ０〜Ｌ１２７（図４）を表している。封止体１６の外
側の領域で、配線４０の端部には接続端子４２が形成されており、接続端子４２は図示し
ない電力供給装置または制御装置に接続されている。
【００３８】
封止体１６は、接着剤３８により基板１２に接合されている。図２に示すように、基板
１２の長辺付近では、基板１２の溝３７の内部に接着剤３８が配置され、この接着剤３８
により、溝３７の内壁面（電源線３２，３６がある部分では電源線３２，３６）と曲折壁
部２２が接合されている。他方、図３に示すように、基板１２の短辺付近では、封止体１
６の曲折壁部２０の底面と基板１２（配線４０がある部分では配線４０）の間に接着剤３
８が配置され、この接着剤３８により曲折壁部２０の底面と基板１２が接合されている。
好ましくは、接着剤３８としては熱硬化型または紫外線硬化型の接着剤が使用される。こ
のようにして、封止体１６と基板１２は、隙間なく接着剤３８で封止される。
【００３９】
この実施の形態によれば、基板１２に形成された溝３７内に封止体１６の曲折壁部２２
が受け入れられるので、溝３７の深さＬｅ１の分、基板１２と封止体１６の接着面積を確
保することが可能である。つまり、曲折壁部２２の底面の幅を大きくしなくても、接着面
積を確保することが可能であるので、電気光学装置１０の面積の増大を抑えつつ、封止性
能を確保することが可能である。
【００４０】
また、溝３７の底面と曲折壁部２２の底面だけでなく溝３７の側面と曲折壁部２２の側
面も接着される。この構成では、基板１２の長辺付近で封止体１６を基板１２から剥離し
ようとする力が与えられた場合、溝３７の底面と曲折壁部２２の底面の間の接着剤３８の
引っ張り強度および剥離強度、ならびに溝３７の側面と曲折壁部２２の側面の間の接着剤
３８の剪断強度に起因する抵抗が生ずる。従って、接着剤の引っ張り強度および剥離強度
による抵抗だけで強度を得ている従来技術に比べて、本発明では接着強度を確保すること
が容易である。
【００４１】
例えば、図３に示す溝を使用しない曲折壁部２０と基板１２の接着構造に関しては、接
着幅は曲折壁部２０の底面の幅Ｌｅ３であって、現在入手可能な一般の接着剤で十分な封
止性能を確保しようとすると、少なくとも約１ｍｍであると好ましい。また、現在入手可
能な一般の接着剤で十分な接着強度を確保しようとすると、接着幅つまり曲折壁部２０の
底面の幅Ｌｅ３は少なくとも約２ｍｍであると好ましいので、結局のところ曲折壁部２０
の底面の幅Ｌｅ３は少なくとも約２ｍｍであると好ましい。
【００４２】
これに対して、図２に示す溝３７を使用する曲折壁部２２と基板１２の接着構造に関し
ては、接着幅は２Ｌｅ１＋Ｌｅ２である。現在入手可能な一般の接着剤で十分な封止性能
を確保しようとすると、２Ｌｅ１＋Ｌｅ２≧１ｍｍであればよい。例えば、溝３７の深さ
Ｌｅ１を０．７５ｍｍ、溝３７の幅Ｌｅ２を０．５ｍｍとした場合には、接着幅は２ｍｍ
となり、この条件を満たす。また、溝３７の深さＬｅ１を０．５ｍｍ、溝３７の幅Ｌｅ２
を０．５ｍｍとした場合にも、接着幅は１．５ｍｍとなり、この条件を満たす。
【００４３】
溝３７を使用する曲折壁部２２と基板１２の接着の強度は溝３７の深さＬｅ１により大
きく変動するが、深さＬｅ１が少なくとも０．５ｍｍあれば、大きな剪断強度を確保でき
、溝３７の幅Ｌｅ２が０．５ｍｍあれば接着強度は十分であると考えられる。
【００４４】
従来の封止体１６と基板１２の接着構造は、基本的に図３に示す構造と同様の溝を使用
しないタイプであるから、接着幅が少なくとも約２ｍｍであると好ましく、その分電気光
学装置１０の面積の増大を引き起こしていたが、この実施の形態では、図２に示す溝３７
を使用する曲折壁部２２と基板１２の接着構造について曲折壁部２２の底面の幅Ｌｅ２は
０．５ｍｍでよいので、その分電気光学装置１０の面積を減少させることが可能である。
【００４５】
さらに、発光素子１４を駆動するための電源線３２，３６が、封止体１６と基板１２で
囲まれた領域から、溝３７の内面と封止体１６の曲折壁部２２の間を通過し、封止体１６
の外側に延びているので、電源線３２，３６を容易に配設することが可能である。
【００４６】
図６および図７は、それぞれ第１の実施の形態の変形例に係る電気光学装置１０の断面
図であり、より具体的には、図３と同様に図１のＢ−Ｂ線矢視断面図である。これらの変
形例では、基板１２の短辺付近での封止体１６と基板１２の接合構造が第１の実施の形態
（図３）と異なっているが、基板１２の長辺付近での封止体１６と基板１２の接合構造は
第１の実施の形態（図２）と同じであり溝３７を用いる。
【００４７】
図６および図７の変形例の構造では、封止体１６の二つの短辺に曲折壁部２０は形成さ
れていない。図６の構造では、基板１２の短辺付近では、封止体１６の縁の下面と基板１
２（配線４０がある部分では配線４０）の間に接着剤３８が配置され、この接着剤３８に
より封止体１６の下面と基板１２が接合されている。基板１２の短辺付近での接着剤３８
の幅Ｌｅ３’は、現在入手可能な一般の接着剤で十分な接着強度を確保するには、少なく
とも約２ｍｍであると好ましい。
【００４８】
図７の構造では、基板１２の短辺付近では、封止体１６の縁の下面と基板１２の間にス
ペーサ片４４が介在させられている。スペーサ片４４は例えばガラス、プラスチック、セ
ラミック、または金属で形成することが可能である。接着剤３８は、封止体１６の下面と
スペーサ片４４の間、ならびにスペーサ片４４と基板１２（配線４０がある部分では配線
４０）の間に配置されている。このようにして、封止体１６と基板１２が接合されている
。基板１２の短辺付近での接着剤３８の幅Ｌｅ３’’は、現在入手可能な一般の接着剤で
十分な接着強度を確保するには、少なくとも約２ｍｍであると好ましい。
【００４９】
これらの変形例でも、基板１２の長辺付近での封止体１６と基板１２の接合構造に、第
１の実施の形態と同様に溝３７と曲折壁部２２の嵌め合わせ構造（図２）を用いることで
、上記と同じ効果が達成できる。
【００５０】
なお、第１の実施の形態および上述の変形例では、基板１２の二つの短辺付近では、溝
と曲折壁部の嵌め合わせ構造が設けられていない。しかし、溝３７と曲折壁部２２の嵌め
合わせ構造と同様の溝と曲折壁部の嵌め合わせ構造を、基板１２の長辺付近だけでなく短
辺付近に設けてもよい。すなわち、連続したループ状の溝を基板に形成し、封止体にも周
囲全体にわたって連続したループ状の曲折壁部を形成して、溝に曲折壁部を嵌め込んでも
よい。
【００５１】
＜第２の実施の形態＞
図８は、本発明の第２の実施の形態に係る電気光学装置を示す概略平面図であり、図９
は図８のＢ−Ｂ線矢視断面図である。図８および図９においては、第１の実施の形態と共
通する構成要素を示すために同じ参照符号が使用されており、それらの構成要素について
は詳細には説明しない。また、図８では、図１と同様に、発光素子１４を駆動するための
様々な配線の図示を省略する。
【００５２】
図に例示された電気光学装置６０は、第１の実施の形態の電気光学装置１０と同様に電
子写真方式を利用した画像印刷装置における像担持体（例えば感光体ドラム）に静電潜像
を書き込むためのライン型の光ヘッドとして用いられる。図８のＡ−Ａ線矢視断面図は図
２と同様である。従って、基板１２の長辺付近での封止体１６と基板１２の接合構造に、
第１の実施の形態と同様に溝３７と曲折壁部２２の嵌め合わせ構造が用いられている。
【００５３】
他方、図９に示すように、長尺曲折壁部（第２の曲折壁部）５０が封止体１６の二つの
短辺に形成されている。図２および図９を参照すると明らかなように、長尺曲折壁部５０
、曲折壁部２２は同じ方向に延びているが、長尺曲折壁部５０は曲折壁部２２よりも長く
延びている。基板１２の二つの短辺の端面は、長尺曲折壁部５０の側面に対向している。
すなわち、基板１２が封止体１６の長尺曲折壁部５０の間に挟まれている。そして、基板
１２の二つの短辺の端面と長尺曲折壁部５０の間に配置された接着剤３８により基板１２
および封止体１６の長尺曲折壁部５０が接着されている。このようにして、封止体１６と
基板１２は、隙間なく接着剤３８で封止される。
【００５４】
このように基板１２の二つの短辺が封止体１６の長尺曲折壁部５０で覆われているので
、この実施の形態では、配線４０、すなわち高電位電源線２７Ａ、低電位電源線２７Ｂ、
信号線２９およびデータ線Ｌ０〜Ｌ１２７（図４）は、基板１２の短辺から外側に延びて
いない。その代わり、図示しないが、配線４０は、図２に示された電源線３２，３６と同
様に、封止体１６と基板１２で囲まれた領域から、基板１２の長辺付近の溝３７の内壁面
と封止体１６の曲折壁部２２の間を通過し、封止体１６の外側に延びている。
【００５５】
この実施の形態では、基板１２の短辺での接着幅は、基板１２の厚さＬｅ４に等しい。
この構成では、基板１２の短辺付近で封止体１６を基板１２から剥離しようとする力が与
えられた場合、基板１２の端面と長尺曲折壁部５０の側面の間の接着剤３８の剪断強度に
起因する抵抗が生ずる。現在入手可能な一般の接着剤で十分な封止性能および接着強度を
確保しようとすると、接着幅つまり基板１２の厚さＬｅ４は少なくとも約１ｍｍであると
好ましい。
【００５６】
また、十分な構造的強度を確保するには、長尺曲折壁部５０の厚さは少なくとも約０．
５ｍｍあることが好ましい。これに対して、第１の実施の形態およびその変形例における
基板１２の短辺付近での接着幅Ｌｅ３，Ｌｅ３’，Ｌｅ３’’（図３、図６および図７）
は、上述した通り好ましくは約２ｍｍ以上である。従って、この実施の形態では、基板１
２の端面と長尺曲折壁部５０の側面との間に接着面積を確保することが可能であるので、
長尺曲折壁部５０の底面を大きくしなくてもよい。すなわち、電気光学装置６０の面積の
増大を抑えつつ、封止性能を確保することが可能である。
【００５７】
基板１２の厚さＬｅ４が大きくない場合には、図１０に示すように、基板１２の発光素
子１４と反対側にスペーサ板５４を重ねてもよい。スペーサ板５４は、ガラスまたは透明
なプラスチックから形成されている。スペーサ板５４は基板１２と共に長尺曲折壁部５０
の間に挟まれていて、スペーサ板５４の端面と長尺曲折壁部５０の間に配置された接着剤
３８によりスペーサ板５０および長尺曲折壁部５０が接着されているようにしてもよい。
基板１２に加えてスペーサ板５４が長尺曲折壁部５０に接着されることにより、基板１２
が薄くても、接着面積が増加し、封止性能を確保することが可能である。接着幅つまり基
板１２の厚さＬｅ４とスペーサ板５４の厚さＬｅ５の合計は少なくとも約１ｍｍであると
好ましい。
【００５８】
上述した通り、第２の実施の形態および図１０の変形例では、基板１２の長辺付近での
封止体１６と基板１２の接合構造に、溝３７と曲折壁部２２の嵌め合わせ構造（図２）が
用いられている。しかし、基板１２の長辺付近での封止体１６と基板１２の接合構造は、
図３、図６または図７に示された構造（第１の実施の形態での基板１２の短辺付近での封
止体１６と基板１２の接合構造）と同様な、嵌め合わせのない接合構造であってもよい。
この変形例の図示は省略するが、この変形例では、配線４０は、封止体１６と基板１２で
囲まれた領域から、封止体１６の短辺の底面と基板１２の間を通過し、封止体１６の外側
に延びることになる。
【００５９】
＜第３の実施の形態＞
図１１は、本発明の第３の実施の形態に係る電気光学装置を示す概略平面図であり、図
１２は図１１のＡ−Ａ線矢視断面図である。図１１および図１２においては、第１の実施
の形態と共通する構成要素を示すために同じ参照符号が使用されており、それらの構成要
素については詳細には説明しない。また、図１１では、図１と同様に、発光素子１４を駆
動するための様々な配線の図示を省略する。
【００６０】
図に例示された電気光学装置７０は、第１の実施の形態の電気光学装置１０と同様に電
子写真方式を利用した画像印刷装置における像担持体（例えば感光体ドラム）に静電潜像
を書き込むためのライン型の光ヘッドとして用いられる。図１１のＢ−Ｂ線矢視断面図は
図３、図６および図７のいずれかと同様である。従って、配線４０が、封止体１６と基板
１２で囲まれた領域から、封止体１６の短辺の底面と基板１２の間を通過し、封止体１６
の外側に延びている。
【００６１】
他方、図１２に示すように、長尺曲折壁部５０が封止体１６の二つの長辺に形成されて
いる。図１２および図３を参照すると明らかなように、長尺曲折壁部５０，曲折壁部２０
は同じ方向に延びているが、長尺曲折壁部５０は曲折壁部２０よりも長く延びている。基
板１２の二つの短辺の端面は、長尺曲折壁部５０の側面に対向している。すなわち、基板
１２が封止体１６の長尺曲折壁部５０の間に挟まれている。そして、基板１２の二つの短
辺の端面と長尺曲折壁部５０の間に配置された接着剤３８により基板１２および封止体１
６の長尺曲折壁部５０が接着されている。このようにして、封止体１６と基板１２は、隙
間なく接着剤３８で封止される。
【００６２】
このように基板１２の二つの長辺が封止体１６の長尺曲折壁部５０で覆われているので
、この実施の形態では、電源線３２，３６は、基板１２の長辺から外側に延びていない。
その代わり、図示しないが、電源線３２，３６は、図３、図６および図７に示された配線
４０と同様に、封止体１６と基板１２で囲まれた領域から、封止体１６の短辺の底面と基
板１２の間を通過し、封止体１６の外側に延びている。
【００６３】
この実施の形態では、基板１２の長辺での接着幅は、基板１２の厚さＬｅ４’に等しい
。この構成では、基板１２の長辺付近で封止体１６を基板１２から剥離しようとする力が
与えられた場合、基板１２の端面と長尺曲折壁部５０の側面の間の接着剤３８の剪断強度
に起因する抵抗が生ずる。一般に接着剤の剪断強度は高いので、接着剤の引っ張り強度お
よび剥離強度による抵抗だけで強度を得ている従来技術に比べて、この実施の形態では接
着強度を確保することが容易である。現在入手可能な一般の接着剤で十分な封止性能およ
び接着強度を確保しようとすると、接着幅つまり基板１２の厚さＬｅ４’は少なくとも約
１ｍｍであると好ましい。
【００６４】
また、十分な構造的強度を確保するには、長尺曲折壁部５０の厚さは少なくとも約０．
５ｍｍあることが好ましい。これに対して、従来の構造では、接着面は基板１２の表面に
平行な方向にあり、その幅は、好ましくは約２ｍｍ以上である。従って、この実施の形態
では、基板１２の端面と長尺曲折壁部５０の側面との間に接着面積を確保することが可能
であるので、長尺曲折壁部５０の底面を大きくしなくてもよい。すなわち、電気光学装置
６０の面積の増大を抑えつつ、封止性能を確保することが可能である。
【００６５】
基板１２の厚さＬｅ４’が大きくない場合には、図１３に示すように、基板１２の発光
素子１４と反対側にスペーサ板５４を重ねてもよい。スペーサ板５４は、ガラスまたは透
明なプラスチックから形成されている。スペーサ板５４は基板１２と共に長尺曲折壁部５
０の間に挟まれていて、スペーサ板５４の端面と長尺曲折壁部５０の間に配置された接着
剤３８によりスペーサ板５４および長尺曲折壁部５０が接着されているようにしてもよい
。基板１２に加えてスペーサ板５４が長尺曲折壁部５０に接着されることにより、基板１
２が薄くても、接着面積が増加し、封止性能を確保することが可能である。接着幅つまり
基板１２の厚さＬｅ４’とスペーサ板５４の厚さＬｅ５’の合計は少なくとも約１ｍｍで
あると好ましい。
【００６６】
上述した通り、第３の実施の形態および図１２の変形例では、基板１２の短辺付近での
封止体１６と基板１２の接合構造に、図３、図６または図７の接合構造が用いられている
。しかし、基板１２の短辺付近での封止体１６と基板１２の接合構造は、図２に示された
溝と曲折壁部の嵌め合わせ構造（第１の実施の形態での基板１２の長辺付近での封止体１
６と基板１２の接合構造）と同様な、嵌め合わせ接合構造であってもよい。この変形例の
図示は省略するが、この変形例では、配線４０は、封止体１６と基板１２で囲まれた領域
から、基板１２の短辺付近の溝の内壁面と封止体１６の短辺の曲折壁部の間を通過し、封
止体１６の外側に延びることになる。
【００６７】
＜画像印刷装置＞
上述したように、電気光学装置１０，６０，７０は、電子写真方式を利用した画像印刷
装置における像担持体に潜像を書き込むためのライン型の光ヘッドとして用いることが可
能である。画像印刷装置の例としては、プリンタ、複写機の印刷部分およびファクシミリ
の印刷部分がある。
【００６８】
図１４は、電気光学装置１０，６０，７０のいずれかをライン型の光ヘッドとして用い
た画像印刷装置の一例を示す縦断面図である。この画像印刷装置は、ベルト中間転写体方
式を利用したタンデム型のフルカラー画像印刷装置である。
【００６９】
この画像印刷装置では、同様な構成の４個の有機ＥＬアレイ露光ヘッド１０Ｋ，１０Ｃ
，１０Ｍ，１０Ｙが、同様な構成である４個の感光体ドラム（像担持体）１１０Ｋ，１１
０Ｃ，１１０Ｍ，１１０Ｙの露光位置にそれぞれ配置されている。有機ＥＬアレイ露光ヘ
ッド１０Ｋ，１０Ｃ，１０Ｍ，１０Ｙは上述した電気光学装置１０，６０，７０のいずれ
かである。
【００７０】
図１４に示すように、この画像印刷装置には、駆動ローラ１２１と従動ローラ１２２が
設けられており、これらのローラ１２１，１２２には無端の中間転写ベルト１２０が巻回
されて、矢印に示すようにローラ１２１，１２２の周囲を回転させられる。図示しないが
、中間転写ベルト１２０に張力を与えるテンションローラなどの張力付与手段を設けても
よい。
【００７１】
この中間転写ベルト１２０の周囲には、互いに所定間隔をおいて４個の外周面に感光層
を有する感光体ドラム１１０Ｋ，１１０Ｃ，１１０Ｍ，１１０Ｙが配置される。添え字Ｋ
，Ｃ，Ｍ，Ｙはそれぞれ黒、シアン、マゼンタ、イエローの顕像を形成するために使用さ
れることを意味している。他の部材についても同様である。感光体ドラム１１０Ｋ，１１
０Ｃ，１１０Ｍ，１１０Ｙは、中間転写ベルト１２０の駆動と同期して回転駆動される。
【００７２】
各感光体ドラム１１０（Ｋ，Ｃ，Ｍ，Ｙ）の周囲には、コロナ帯電器１１１（Ｋ，Ｃ，
Ｍ，Ｙ）と、有機ＥＬアレイ露光ヘッド１０（Ｋ，Ｃ，Ｍ，Ｙ）と、現像器１１４（Ｋ，
Ｃ，Ｍ，Ｙ）が配置されている。コロナ帯電器１１１（Ｋ，Ｃ，Ｍ，Ｙ）は、対応する感
光体ドラム１１０（Ｋ，Ｃ，Ｍ，Ｙ）の外周面を一様に帯電させる。有機ＥＬアレイ露光
ヘッド１０（Ｋ，Ｃ，Ｍ，Ｙ）は、感光体ドラムの帯電させられた外周面に静電潜像を書
き込む。各有機ＥＬアレイ露光ヘッド１０（Ｋ，Ｃ，Ｍ，Ｙ）は、複数のＯＬＥＤ素子１
４の配列方向が感光体ドラム１１０（Ｋ，Ｃ，Ｍ，Ｙ）の母線（主走査方向）に沿うよう
に設置される。静電潜像の書き込みは、上記の複数のＯＬＥＤ素子１４により光を感光体
ドラムに照射することにより行う。現像器１１４（Ｋ，Ｃ，Ｍ，Ｙ）は、静電潜像に現像
剤としてのトナーを付着させることにより感光体ドラムに顕像すなわち可視像を形成する
。
【００７３】
このような４色の単色顕像形成ステーションにより形成された黒、シアン、マゼンタ、
イエローの各顕像は、中間転写ベルト１２０上に順次一次転写されることにより、中間転
写ベルト１２０上で重ね合わされて、この結果フルカラーの顕像が得られる。中間転写ベ
ルト１２０の内側には、４つの一次転写コロトロン（転写器）１１２（Ｋ，Ｃ，Ｍ，Ｙ）
が配置されている。一次転写コロトロン１１２（Ｋ，Ｃ，Ｍ，Ｙ）は、感光体ドラム１１
０（Ｋ，Ｃ，Ｍ，Ｙ）の近傍にそれぞれ配置されており、感光体ドラム１１０（Ｋ，Ｃ，
Ｍ，Ｙ）から顕像を静電的に吸引することにより、感光体ドラムと一次転写コロトロンの
間を通過する中間転写ベルト１２０に顕像を転写する。
【００７４】
最終的に画像を形成する対象としてのシート１０２は、ピックアップローラ１０３によ
って、給紙カセット１０１から１枚ずつ給送されて、駆動ローラ１２１に接した中間転写
ベルト１２０と二次転写ローラ１２６の間のニップに送られる。中間転写ベルト１２０上
のフルカラーの顕像は、二次転写ローラ１２６によってシート１０２の片面に一括して二
次転写され、定着部である定着ローラ対１２７を通ることでシート１０２上に定着される
。この後、シート１０２は、排紙ローラ対１２８によって、装置上部に形成された排紙カ
セット上へ排出される。
【００７５】
図１４の画像印刷装置は、書き込み手段として有機ＥＬアレイを有する電気光学装置１
０，６０，７０のいずれかを用いているので、レーザ走査光学系を用いた場合よりも、装
置の小型化を図ることができる。また、上述した通り電気光学装置１０，６０，７０のい
ずれかは従来よりも小型化することができるので、感光体ドラム１１０Ｋ，１１０Ｃ，１
１０Ｍ，１１０Ｙに近い位置に配置することが可能であり、画像印刷装置もより小型化す
ることが可能である。
【００７６】
次に、本発明に係る画像印刷装置の他の実施の形態について説明する。
図１５は、電気光学装置１０，６０，７０のいずれかをライン型の光ヘッドとして用い
た他の画像印刷装置の縦断面図である。この画像印刷装置は、ベルト中間転写体方式を利
用したロータリ現像式のフルカラー画像印刷装置である。図１５に示す画像印刷装置にお
いて、感光体ドラム（像担持体）１６５の周囲には、コロナ帯電器１６８、ロータリ式の
現像ユニット１６１、有機ＥＬアレイ露光ヘッド１６７、中間転写ベルト１６９が設けら
れている。
【００７７】
コロナ帯電器１６８は、感光体ドラム１６５の外周面を一様に帯電させる。有機ＥＬア
レイ露光ヘッド１６７は、感光体ドラム１６５の帯電させられた外周面に静電潜像を書き
込む。有機ＥＬアレイ露光ヘッド１６７は、上述した電気光学装置１０，６０，７０のい
ずれかであり、複数のＯＬＥＤ素子１４の配列方向が感光体ドラム１６５の母線（主走査
方向）に沿うように設置される。静電潜像の書き込みは、上記の複数のＯＬＥＤ素子１４
により光を感光体ドラムに照射することにより行う。
【００７８】
現像ユニット１６１は、４つの現像器１６３Ｙ，１６３Ｃ，１６３Ｍ，１６３Ｋが９０
°の角間隔をおいて配置されたドラムであり、軸１６１ａを中心にして反時計回りに回転
可能である。現像器１６３Ｙ，１６３Ｃ，１６３Ｍ，１６３Ｋは、それぞれイエロー、シ
アン、マゼンタ、黒のトナーを感光体ドラム１６５に供給して、静電潜像に現像剤として
のトナーを付着させることにより感光体ドラム１６５に顕像すなわち可視像を形成する。
【００７９】
無端の中間転写ベルト１６９は、駆動ローラ１７０ａ、従動ローラ１７０ｂ、一次転写
ローラ１６６およびテンションローラに巻回されて、これらのローラの周囲を矢印に示す
向きに回転させられる。一次転写ローラ１６６は、感光体ドラム１６５から顕像を静電的
に吸引することにより、感光体ドラムと一次転写ローラ１６６の間を通過する中間転写ベ
ルト１６９に顕像を転写する。
【００８０】
具体的には、感光体ドラム１６５の最初の１回転で、露光ヘッド１６７によりイエロー
（Ｙ）像のための静電潜像が書き込まれて現像器１６３Ｙにより同色の顕像が形成され、
さらに中間転写ベルト１６９に転写される。また、次の１回転で、露光ヘッド１６７によ
りシアン（Ｃ）像のための静電潜像が書き込まれて現像器１６３Ｃにより同色の顕像が形
成され、イエローの顕像に重なり合うように中間転写ベルト１６９に転写される。そして
、このようにして感光体ドラム９が４回転する間に、イエロー、シアン、マゼンタ、黒の
顕像が中間転写ベルト１６９に順次重ね合わせられ、この結果フルカラーの顕像が転写ベ
ルト１６９上に形成される。最終的に画像を形成する対象としてのシートの両面に画像を
形成する場合には、中間転写ベルト１６９に表面と裏面の同色の顕像を転写し、次に中間
転写ベルト１６９に表面と裏面の次の色の顕像を転写する形式で、フルカラーの顕像を中
間転写ベルト１６９上で得る。
【００８１】
画像印刷装置には、シートが通過させられるシート搬送路１７４が設けられている。シ
ートは、給紙カセット１７８から、ピックアップローラ１７９によって１枚ずつ取り出さ
れ、搬送ローラによってシート搬送路１７４を進行させられ、駆動ローラ１７０ａに接し
た中間転写ベルト１６９と二次転写ローラ１７１の間のニップを通過する。二次転写ロー
ラ１７１は、中間転写ベルト１６９からフルカラーの顕像を一括して静電的に吸引するこ
とにより、シートの片面に顕像を転写する。二次転写ローラ１７１は、図示しないクラッ
チにより中間転写ベルト１６９に接近および離間させられるようになっている。そして、
シートにフルカラーの顕像を転写する時に二次転写ローラ１７１は中間転写ベルト１６９
に当接させられ、中間転写ベルト１６９に顕像を重ねている間は二次転写ローラ１７１か
ら離される。
【００８２】
上記のようにして画像が転写されたシートは定着器１７２に搬送され、定着器１７２の
加熱ローラ１７２ａと加圧ローラ１７２ｂの間を通過させられることにより、シート上の
顕像が定着する。定着処理後のシートは、排紙ローラ対１７６に引き込まれて矢印Ｆの向
きに進行する。両面印刷の場合には、シートの大部分が排紙ローラ対１７６を通過した後
、排紙ローラ対１７６が逆方向に回転させられ、矢印Ｇで示すように両面印刷用搬送路１
７５に導入される。そして、二次転写ローラ１７１により顕像がシートの他面に転写され
、再度定着器１７２で定着処理が行われた後、排紙ローラ対１７６でシートが排出される
。
【００８３】
図１５の画像印刷装置は、書き込み手段として有機ＥＬアレイを有する露光ヘッド１６
７（電気光学装置１０，６０，７０のいずれか）を用いているので、レーザ走査光学系を
用いた場合よりも、装置の小型化を図ることができる。また、上述した通り電気光学装置
１０，６０，７０のいずれかは従来よりも小型化することができるので、感光体ドラム１
６５に近い位置に配置することが可能であり、画像印刷装置もより小型化することが可能
である。
【００８４】
以上、電気光学装置１０，６０，７０のいずれかを応用可能な画像印刷装置を例示した
が、他の電子写真方式の画像印刷装置にも電気光学装置１０，６０，７０のいずれかを応
用することが可能であり、そのような画像印刷装置は本発明の範囲内にある。例えば、中
間転写ベルトを使用せずに感光体ドラムから直接シートに顕像を転写するタイプの画像印
刷装置や、モノクロの画像を形成する画像印刷装置にも電気光学装置１０，６０，７０の
いずれかを応用することが可能である。
【００８５】
＜他の応用＞
本発明に係る電気光学装置は、さらに各種の露光装置、照明装置および画像表示装置に
応用することが可能である。
【００８６】
＜変形例＞
上述した発光素子１４は有機ＥＬ素子である。しかし、封止する必要があるのであれば
、無機ＥＬ素子を設けた基板を上記の実施の形態と同様に封止してもよい。
上述した電気光学装置１０はボトムエミッションタイプであるが、発光素子が設けられ
た基板と反対側に光を放出するトップエミッションタイプの電気光学装置に上記の実施の
形態と同様の封止構造を用いてもよい。
【００８７】
上述した実施の形態では、基板１２および封止体１６は矩形であるが、他の形状でもよ
い。また、上述した実施の形態では、封止体１６の周縁に曲折壁部２０，２２，５０が形
成されているが、曲折壁部が形成されている位置は封止体の他の部分でもよい。
【図面の簡単な説明】
【００８８】
【図１】本発明の第１の実施の形態に係る電気光学装置を示す概略平面図である。
【図２】図１のＡ−Ａ線矢視断面図である。
【図３】図１のＢ−Ｂ線矢視断面図である。
【図４】前記電気光学装置の駆動系統を示すブロック図である。
【図５】図４の駆動系統内の各画素回路の回路図である。
【図６】第１の実施の形態の変形例に係る電気光学装置の断面図である。
【図７】第１の実施の形態の他の変形例に係る電気光学装置の断面図である。
【図８】本発明の第２の実施の形態に係る電気光学装置を示す概略平面図である。
【図９】図８のＢ−Ｂ線矢視断面図である。
【図１０】第２の実施の形態の変形例に係る電気光学装置の断面図である。
【図１１】本発明の第３の実施の形態に係る電気光学装置を示す概略平面図である。
【図１２】図１１のＡ−Ａ線矢視断面図である。
【図１３】第３の実施の形態の変形例に係る電気光学装置の断面図である。
【図１４】図１または図１０に示した電気光学装置を用いた画像印刷装置の一例を示す縦断面図である。
【図１５】図１または図１０に示した電気光学装置を用いた画像印刷装置の他の例を示す縦断面図である。
【符号の説明】
【００８９】
１０，６０，７０…電気光学装置、１２…基板、１４…発光素子、１６…封止体、２０
，２２…曲折壁部、３２…低電位電源線、３６…高電位電源線、３７…溝、３８…接着剤
、４０…配線、５０…長尺曲折壁部、５４…スペーサ板、Ｌ０〜Ｌ１２７…データ線、２
７Ａ…高電位電源線、２７Ｂ…低電位電源線、２９…信号線
【図１】
2006202650.tif 000003
【図２】
2006202650.tif 000004
【図３】
2006202650.tif 000005
【図４】
2006202650.tif 000006
【図５】
2006202650.tif 000007
【図６】
2006202650.tif 000008
【図７】
2006202650.tif 000009
【図８】
2006202650.tif 000010
【図９】
2006202650.tif 000011
【図１０】
2006202650.tif 000012
【図１１】
2006202650.tif 000013
【図１２】
2006202650.tif 000014
【図１３】
2006202650.tif 000015
【図１４】
2006202650.tif 000016
【図１５】
2006202650.tif 000017